(57)【要約】【課題】フォントサイズの小さい色文字の視認性を向上させることができる画像形成装置、及び画像形成方法を提供する。【解決手段】文字コード４３４とフォントサイズ４３５と色情報４３６とを含む文字情報４３２を記憶する記憶部４３と、文字情報４３２に基づいて、ドットを併置する併置混色とドットを重ねる減法混色とを用いて複数の色成分にそれぞれ対応する色のドットを用紙に形成することにより、当該文字情報４３２の色情報４３６で表される色の文字画像を形成する画像形成部５と、文字情報４３２に基づいて、フォントサイズ４３５が小さいほどドットの面積の合計に対するドットが重なる面積の比率が増大するように、画像形成部５によりドットを形成させる画像形成制御部４１とを備えた。【選択図】図１
2008213367.tif 000002
【特許請求の範囲】
【請求項１】
文字コードとフォントサイズと色を表す色情報とを含む文字情報に基づいて、ドットを併置する併置混色とドットを重ねる減法混色とを用いて複数の色成分にそれぞれ対応する色のドットを用紙に形成することにより、当該文字情報の色情報で表される色の文字画像を形成する画像形成部と、
前記文字情報に基づいて、フォントサイズが小さいほど前記ドットの面積の合計に対するドットが重なる面積の比率が増大するように、前記画像形成部によりドットを形成させる画像形成制御部と
を備えることを特徴とする画像形成装置。
【請求項２】
予めフォントサイズ毎に、フォントサイズが小さいほど前記ドットの面積の合計に対するドットが重なる面積の比率が増大するように、当該面積比率が対応付けられた混色テーブルを記憶する記憶部をさらに備え、
前記画像形成制御部は、前記記憶部に記憶されている混色テーブルにより前記文字情報のフォントサイズに対応付けられている面積比率で、前記画像形成部によって前記ドットを重ねさせることにより、前記減法混色による色生成を行わせること
を特徴とする請求項１記載の画像形成装置。
【請求項３】
前記画像形成制御部は、前記文字情報のフォントサイズが予め設定された基準フォントサイズより大きい場合、前記ドットが重なる面積の比率を予め設定された第１比率に設定し、当該フォントサイズが当該基準フォントサイズより小さい場合、前記ドットが重なる面積の比率を、予め設定された設定比率だけ前記第１比率より増大させること
を特徴とする請求項１記載の画像形成装置。
【請求項４】
前記基準フォントサイズ及び前記設定比率の設定を受け付ける設定受付部をさらに備えること
を特徴とする請求項３記載の画像形成装置。
【請求項５】
画像形成手段が、文字コードとフォントサイズと色を表す色情報とを含む文字情報に基づいて、ドットを併置する併置混色とドットを重なる減法混色とを用いて複数の色成分にそれぞれ対応する色のドットを用紙に形成することにより、当該文字情報の色情報で表される色の文字画像を形成する工程、
画像形成制御手段が、前記文字情報に基づいて、フォントサイズが小さいほど前記ドットの面積の合計に対するドットが重なる面積の比率が増大するように、前記画像形成手段によりドットを形成させる工程から構成されることを特徴とする画像形成方法。
【発明の詳細な説明】
【技術分野】
【０００１】
本発明は、文字のカラー画像を形成する画像形成装置、及び画像形成方法に関する。
【背景技術】
【０００２】
従来、例えば折れ線グラフや表の枠線等、線を画像形成する場合、線が細いと画像の視認性が悪くなるという、不都合があった。そこで、画像形成しようとする印刷データにおいて、線、及び当該線の幅を検出し、線幅が所定値より細い場合に当該線の濃度を濃くすることにより、線の視認性を向上するようにした画像処理装置が知られている（例えば、特許文献１参照。）。
【０００３】
また、カラー画像を形成する方法としては、Ｃ（シアン）、Ｍ（マゼンダ）、Ｙ（イエロー）の各色成分に対応した色のドットを、並べて配置することにより所望の色を生成する併置混色と、当該各色成分に対応した色のドットを、重ね合わせることにより所望の色を生成する減法混色とが知られている。
【特許文献１】特開平５−１３０４３９号公報
【発明の開示】
【発明が解決しようとする課題】
【０００４】
ところで、文字をハーフトーンで画像形成する場合、文字のフォントサイズが小さくなるほど視認性が低下するという不都合があった。しかしながら、文字は線ではないので、特許文献１に記載の技術を適用することはできず、フォントサイズの小さいハーフトーンの文字の視認性を向上させることはできなかった。また、仮に文字の辺を線画として取り扱かうことにより、特許文献１に記載の技術を適用したとしても、文字の辺以外の点や撥ねには適用できず、文字の視認性を充分向上させることはできない。また、文字のフォントサイズの大小は、必ずしも線幅の大小と対応しないから、仮に特許文献１に記載の技術を文字に適用したとしても、フォントサイズの小さい文字の視認性を充分向上させることはできない。
【０００５】
さらに、文字の色を併置混色によって生成する場合、図８に示すように、Ｃ（シアン）、Ｍ（マゼンダ）、Ｙ（イエロー）のドットが散らばって配置されるため、本来あるべき文字の辺の輪郭１００から、ドットがはみ出して配置される。そうすると、仮にフォントサイズの小さい文字の辺は細いという前提の元に、文字の辺を線画として取り扱かうことにより特許文献１に記載の技術を適用した場合であっても、フォントサイズの小さい文字の辺は、濃度を濃くするためにドットの数が増加するから、文字の辺の輪郭１００からはみ出すドットの数も増加する結果、微細な文字がつぶれてしまったり、輪郭１００からはみ出したドットによって色がちらついたりするために、視認性が低下するおそれがある。
【０００６】
本発明は、このような事情に鑑みて為された発明であり、フォントサイズの小さい色文字の視認性を向上させることができる画像形成装置、及び画像形成方法を提供することを目的とする。
【課題を解決するための手段】
【０００７】
本発明に係る画像形成装置は、文字コードとフォントサイズと色を表す色情報とを含む文字情報に基づいて、ドットを併置する併置混色とドットを重ねる減法混色とを用いて複数の色成分にそれぞれ対応する色のドットを用紙に形成することにより、当該文字情報の色情報で表される色の文字画像を形成する画像形成部と、前記文字情報に基づいて、フォントサイズが小さいほど前記ドットの面積の合計に対するドットが重なる面積の比率が増大するように、前記画像形成部によりドットを形成させる画像形成制御部とを備える。
【０００８】
この構成によれば、画像形成制御部によって、文字情報に基づいて、フォントサイズが小さいほど、すなわち視認性が低いほど、併置混色及び減法混色により形成されるドットの面積の合計に対するドットが重なる面積の比率が増大するように、画像形成部による文字画像の形成が制御される。この場合、フォントサイズが小さくなるほどドットが重なる面積の比率が増大し、すなわち減法混色の比率が増大されることで、ドットの散らばりが減少し、本来あるべき文字の辺の輪郭からはみ出して配置されるドットが減少する。その結果、微細な文字がつぶれてしまったり、輪郭からはみ出したドットによって色がちらついたりするために視認性が低下するおそれが低減され、フォントサイズの小さい色文字の視認性を向上させることができる。
【０００９】
また、予めフォントサイズ毎に、フォントサイズが小さいほど前記ドットの面積の合計に対するドットが重なる面積の比率が増大するように、当該面積比率が対応付けられた混色テーブルを記憶する記憶部をさらに備え、前記画像形成制御部は、前記記憶部に記憶されている混色テーブルにより前記文字情報のフォントサイズに対応付けられている面積比率で、前記画像形成部によって前記ドットを重ねさせることにより、前記減法混色による色生成を行わせることが好ましい。
【００１０】
この構成によれば、画像形成制御部によって、記憶部に記憶されている混色テーブルにより文字情報のフォントサイズに対応付けられている面積比率で、画像形成部によりドットを重ねさせることにより、減法混色による色生成が行われる。この場合、混色テーブルは、予めフォントサイズ毎に、フォントサイズが小さいほどドットの面積の合計に対するドットが重なる面積の比率が増大するように、当該面積比率が対応付けられているので、画像形成制御部によって、文字情報に基づいて、フォントサイズが小さいほど、すなわち視認性が低いほど、併置混色及び減法混色により形成されるドットの面積の合計に対するドットが重なる面積の比率が増大するように、画像形成部による文字画像の形成が制御される。
【００１１】
また、前記画像形成制御部は、前記文字情報のフォントサイズが予め設定された基準フォントサイズより大きい場合、前記ドットが重なる面積の比率を予め設定された第１比率に設定し、当該フォントサイズが当該基準フォントサイズより小さい場合、前記ドットが重なる面積の比率を、予め設定された設定比率だけ前記第１比率より増大させることが好ましい。
【００１２】
この構成によれば、文字情報のフォントサイズが予め設定された基準フォントサイズより大きく、従って、併置混色によるドットの散らばりが目立たないと考えられる場合には、ドットが重なる面積の比率が予め設定された第１比率に設定される。また、当該フォントサイズが当該基準フォントサイズより小さく、従って併置混色によるドットの散らばりによって、文字の視認性が低下するおそれがあると考えられる場合には、ドットが重なる面積の比率が、予め設定された設定比率だけ第１比率より増大され、すなわち減法混色の割合が増大されるので、ドットの散らばりが低減される結果、フォントサイズの小さい色文字の視認性を向上させることができる。
【００１３】
また、前記基準フォントサイズ及び前記設定比率の設定を受け付ける設定受付部をさらに備えることが好ましい。この構成によれば、ユーザが、文字画像の仕上がりを確認しつつ、文字の視認性を向上させるように、設定受付部を用いて適宜基準フォントサイズ及び設定比率を設定することができるので、色文字の視認性が向上するように、適宜基準フォントサイズ及び設定比率を調整することが容易となる。
【００１４】
また、本発明に係る画像形成方法は、画像形成手段が、文字コードとフォントサイズと色を表す色情報とを含む文字情報に基づいて、ドットを併置する併置混色とドットを重なる減法混色とを用いて複数の色成分にそれぞれ対応する色のドットを用紙に形成することにより、当該文字情報の色情報で表される色の文字画像を形成する工程、画像形成制御手段が、前記文字情報に基づいて、フォントサイズが小さいほど前記ドットの面積の合計に対するドットが重なる面積の比率が増大するように、前記画像形成手段によりドットを形成させる工程から構成される。
【００１５】
この構成によれば、文字情報に基づいて、フォントサイズが小さいほど、すなわち視認性が低いほど、併置混色及び減法混色により形成されるドットの面積の合計に対するドットが重なる面積の比率が増大するように、文字画像の形成が行われる。この場合、フォントサイズが小さくなるほどドットが重なる面積の比率が増大し、すなわち減法混色の比率が増大されることで、ドットの散らばりが減少し、本来あるべき文字の辺の輪郭からはみ出して配置されるドットが減少する。その結果、微細な文字がつぶれてしまったり、輪郭からはみ出したドットによって色がちらついたりするために視認性が低下するおそれが低減され、フォントサイズの小さい色文字の視認性を向上させることができる。
【発明の効果】
【００１６】
このような構成の画像形成装置、及び画像形成方法は、文字情報に基づいて、フォントサイズが小さいほど、すなわち視認性が低いほど、併置混色及び減法混色により形成されるドットの面積の合計に対するドットが重なる面積の比率が増大するように、文字画像の形成が行われる。この場合、フォントサイズが小さくなるほどドットが重なる面積の比率が増大し、すなわち減法混色の比率が増大されることで、ドットの散らばりが減少し、本来あるべき文字の辺の輪郭からはみ出して配置されるドットが減少する。その結果、微細な文字がつぶれてしまったり、輪郭からはみ出したドットによって色がちらついたりするために視認性が低下するおそれが低減され、フォントサイズの小さい色文字の視認性を向上させることができる。
【発明を実施するための最良の形態】
【００１７】
以下、本発明に係る実施形態を図面に基づいて説明する。なお、各図において同一の符号を付した構成は、同一の構成であることを示し、その説明を省略する。
【００１８】
（第１実施形態）
図１は、本発明の第１の実施形態に係る画像形成方法を用いた画像形成装置の一例であるプリンタの構成を示すブロック図である。図１に示すプリンタ１は、例えばネットワーク２を介してパーソナルコンピュータ３とデータ送受信可能に接続されている。図１に示すプリンタ１は、制御部４、画像形成部５、ディスプレイ６、操作部７（設定受付部）、及び通信Ｉ／Ｆ部８を備えている。なお、画像形成装置は、プリンタに限られず、例えばプリンタ機能の他、複写機能やファクシミリ機能等を備えた複合機であってもよい。
【００１９】
制御部４は、例えば所定の演算処理を実行するＣＰＵ（Central Processing Unit）と、ＲＡＭ（Random Access Memory）、ＲＯＭ（Read Only Memory）、及びＨＤＤ（Hard Disk Drive）等の記憶装置により構成された記憶部４３と、その周辺回路等とを備えて構成されている。記憶部４３には、画像形成制御プログラム４３１やオペレーティングシステムその他のプログラム、及び文字情報４３２が記憶されている。
【００２０】
そして、制御部４は、ＣＰＵによって、記憶部４３に記憶されている画像形成制御プログラム４３１を実行することにより、画像形成制御部４１として機能する。
【００２１】
ディスプレイ６は、例えば液晶表示装置により構成された表示装置である。操作部７は、キースイッチやタッチパネル等の操作入力装置である。通信Ｉ／Ｆ部８は、例えばイーサネット（登録商標）や、ＵＳＢ（Universal Serial Bus）等のインターフェイス回路である。そして、通信Ｉ／Ｆ部８は、文字情報４３２を、例えばパーソナルコンピュータ３からイーサネット（登録商標）やＵＳＢ等のネットワーク２を介して受信し、記憶部４３に記憶させる。
【００２２】
文字情報４３２には、例えば、文書を構成する文字の文字コード４３４と、フォントサイズ４３５と、色情報４３６とが含まれている。また、色情報４３６は、文字の色を表すべく、Ｙ（イエロー）の濃度を示す濃度値Ｙと、Ｍ（マゼンダ）の濃度を示す濃度値Ｍと、Ｃ（シアン）の濃度を示す濃度値Ｃと、Ｋ（黒）の濃度を示す濃度値Ｋとを含んでいる。濃度値Ｙ、Ｍ、Ｃ、Ｋは、各色成分の濃度を、例えば８ビットで００ｈ〜ＦＦｈ（１６進表示）の範囲で表しており、濃度値Ｙ、Ｍ、Ｃ、Ｋの値が大きくなるほど濃い濃度を示すようになっている。以下、１６進数には「ｈ」を付して表記する。
【００２３】
画像形成部５は、例えば電子写真方式やインクジェット方式等により用紙に画像を形成する画像形成機構である。そして、画像形成部５は、画像形成制御部４１からの制御信号に応じて、Ｃ（シアン）、Ｍ（マゼンダ）、Ｙ（イエロー）、Ｋ（黒）のドットを並置する併置混色とこれらのドットを重ねる減法混色とを用いて、Ｃ（シアン）、Ｍ（マゼンダ）、Ｙ（イエロー）、Ｋ（黒）のドットを用紙に形成することにより、文字情報４３２の色情報４３６で表される色の文字画像を用紙に形成する。
【００２４】
画像形成制御部４１は、記憶部４３に記憶されている文字情報４３２におけるフォントサイズ４３５が、予め設定された基準フォントサイズＺｓ以下に小さくなると、ドットの面積の合計に対するドットが重なる面積比Ｓを増大させて、画像形成部５によりドットを形成させる。
【００２５】
次に、上述のように構成されたプリンタ１の動作について説明する。図２は、図１に示すプリンタ１の動作の一例を示すフローチャートである。また、図３、図４は、画像形成部５による画像形成動作を説明するための説明図である。
【００２６】
まず、画像形成制御部４１によって、記憶部４３から印刷対象の文字情報４３２が読み出される（ステップＳ１）。そして、画像形成制御部４１によって、予め設定された基準フォントサイズＺｓと、文字情報４３２のフォントサイズ４３５とが比較される（ステップＳ２）。基準フォントサイズＺｓは、フォントサイズが小さいことにより文字の視認性が低下するようなフォントサイズが、画像形成部５の性能に応じて予め設定されている。
【００２７】
そして、フォントサイズ４３５が基準フォントサイズＺｓより大きければ（ステップＳ２でＮＯ）、フォントサイズが小さいことによる文字の視認性の低下はないと考えられるので、画像形成制御部４１によって、文字情報４３２に基づいて、ドットの面積の合計に対するドットが重なる面積比が予め設定された面積比Ｓ１（第１比率）となるように、ドットを併置する併置混色とドットを重ねる減法混色とを併用して、画像形成部５による画像形成が実行され（ステップＳ３）、用紙に文字情報４３２に基づく画像が形成されて、処理を終了する。
【００２８】
面積比Ｓ１は、例えば文字情報４３２の色情報４３６で表される色の再現性が良好になるような面積比、すなわち併置混色と減法混色との比率が、画像形成部５の性能に応じて予め設定されている。
【００２９】
例えば、基準フォントサイズＺｓが「６」、面積比Ｓ１が１０％に設定されており、フォントサイズ４３５が「１０」の場合、ステップＳ３において、例えば図３に示すように、Ｃ，Ｍ，Ｙの各ドットが重なる減法混色の比率が１０％、Ｃ，Ｍ，Ｙの各ドットが並置される併置混色の比率が９０％となる。このように、フォントサイズ４３５が基準フォントサイズＺｓより大きい場合には、減法混色の比率が増大されることなく、併置混色の比率が維持されて、文字色の再現性が向上される。この場合、本来あるべき文字の辺の輪郭１００から、はみ出して配置されるドットが増大するものの、フォントサイズが大きいので、輪郭１００からはみ出すドットによる視認性の劣化の影響が低減される。
【００３０】
一方、フォントサイズ４３５が基準フォントサイズＺｓ以下であれば（ステップＳ２でＹＥＳ）、フォントサイズが小さいことにより文字の視認性が低下するおそれがあると考えられるので、画像形成制御部４１によって、文字情報４３２に基づいて、ドットの面積の合計に対するドットが重なる面積比が面積比Ｓ１より、予め設定された設定比率Ｓ２だけ増大されて、すなわち減法混色の比率が増大されて、画像形成部５による画像形成が実行され（ステップＳ４）、用紙に文字情報４３２に基づく画像が形成されて、処理を終了する。
【００３１】
設定比率Ｓ２は、ドットの面積の合計に対するドットが重なる面積比を、面積比Ｓ１より設定比率Ｓ２だけ増大させることにより、基準フォントサイズＺｓ以下の文字の視認性を向上できるような値が、画像形成部５の性能に応じて予め設定されている。
【００３２】
例えば、基準フォントサイズＺｓが「６」、面積比Ｓ１が１０％、設定比率Ｓ２が４０％に設定されており、フォントサイズ４３５が「６」の場合、ステップＳ２において、フォントサイズ４３５が基準フォントサイズＺｓ以下なので、ステップＳ４に移行し、ドットの面積の合計に対するドットが重なる面積比が１０％＋４０％とされて、例えば図４に示すように、Ｃ，Ｍ，Ｙ，Ｋの各ドットが重なる減法混色の比率が５０％、Ｃ，Ｍ，Ｙ，Ｋの各ドットが並置される併置混色の比率が５０％とされる。このように、フォントサイズ４３５が小さくなると、減法混色の比率が増大され、ドットの散らばりが減少することで、本来あるべき文字の辺の輪郭１００からはみ出して配置されるドットが減少し、微細な文字がつぶれてしまったり、輪郭１００からはみ出したドットによって色がちらついたりするために、視認性が低下するおそれが低減される結果、フォントサイズの小さい色文字の視認性を向上させることができる。
【００３３】
なお、例えばユーザが、操作部７を用いて適宜、基準フォントサイズＺｓ、面積比Ｓ１、及び設定比率Ｓ２を設定できるようにしてもよい。この場合、ユーザは画像形成の仕上がりを見ながら、画像形成部５の性能に応じて良好な文字画像が得られるように、基準フォントサイズＺｓ、面積比Ｓ１、及び設定比率Ｓ２の値を調節することができる。
【００３４】
また、縮小拡大印刷や、１枚の用紙に２ページ分の画像を形成する２ｉｎ１の設定がされていた場合には、フォントサイズ４３５にその画像の倍率を乗じて得られるフォントサイズに基づいて、ステップＳ２の処理を行うようにしてもよい。例えば、処理対象の文字情報４３２において、フォントサイズ４３５が「７」で２ｉｎ１の設定がされている場合、画像倍率は７０％であるから、７×０．７＝５となる。そうすると、画像形成制御部４１は、ステップＳ２において、処理対象の文字のフォントサイズが基準フォントサイズＺｓ以下と判断してステップＳ３へ移行するようにしてもよい。これにより、縮小印刷や２ｉｎ１の設定がされている場合に、文字が縮小されることにより視認性が低下するおそれが低減される。
【００３５】
（第２実施形態）
次に、本発明の第２の実施形態に係る画像形成方法を用いた画像形成装置の一例であるプリンタ１ａについて説明する。図５は、プリンタ１ａの構成の一例を示すブロック図である。図５に示すプリンタ１ａは、図１に示すプリンタ１とは、記憶部４３に混色テーブル４３３がさらに記憶されている点、及び画像形成制御プログラム４３１ａが異なる。そして、制御部４が画像形成制御プログラム４３１ａを実行することにより構成される画像形成制御部４１ａの動作が異なる。
【００３６】
その他の構成は図１に示すプリンタ１と同様であるのでその説明を省略し、以下本実施形態の特徴的な点について説明する。
【００３７】
図６は、記憶部４３に記憶されている混色テーブル４３３の一例を示す説明図である。図６に示す混色テーブル４３３は、ドットの面積の合計に対するドットが重なる面積の比率である面積比Ｓが、１〜１０のフォントサイズＺ毎に、フォントサイズが小さいほど１００％〜１０％の範囲で増大するように、対応付けられている。
【００３８】
混色テーブル４３３は、例えばユーザが、操作部７を用いて適宜、フォントサイズＺと面積比Ｓとの組み合わせを設定できるようにしてもよい。この場合、ユーザは画像形成の仕上がりを見ながら、画像形成部５の性能に応じて良好な文字画像が得られるように、混色テーブル４３３の設定を調節することができる。
【００３９】
画像形成制御部４１は、混色テーブル４３３に基づいて、フォントサイズ４３５が小さいほど、ドットの面積の合計に対するドットが重なる面積比Ｓが増大するように、画像形成部５によりドットを形成させる。
【００４０】
次に、上述のように構成されたプリンタ１ａの動作について説明する。図７は、図５に示すプリンタ１ａの動作の一例を示すフローチャートである。まず、画像形成制御部４１ａによって、記憶部４３から印刷対象の文字情報４３２が読み出され（ステップＳ１１）、混色テーブル４３３において文字情報４３２のフォントサイズ４３５と対応付けられた面積比Ｓが取得される（ステップＳ１２）。
【００４１】
そうすると、図６に示すように、混色テーブル４３３は、面積比Ｓが、１〜１０のフォントサイズＺ毎に、フォントサイズが小さいほど１００％〜１０％の範囲で増大するように対応付けられているので、記憶部４３に記憶されている文字情報４３２におけるフォントサイズ４３５が小さいほど、大きな面積比Ｓが取得される。
【００４２】
次に、画像形成制御部４１ａによって、文字情報４３２に基づいて、ドットの面積の合計に対するドットが重なる面積比が、面積比Ｓとなるように、画像形成部５により画像形成が実行される（ステップＳ１３）。これにより、記憶部４３に記憶されている文字情報４３２におけるフォントサイズ４３５が小さいほど、ドットの面積の合計に対するドットが重なる面積比Ｓが増大するように、画像形成部５による画像形成が実行される。
【００４３】
そうすると、フォントサイズ４３５が大きく、例えば「１０」の場合には、ドットの面積の合計に対するドットが重なる面積比Ｓが、図６に示す混色テーブル４３３に応じて１０％にされており、例えば図３に示すように、Ｃ，Ｍ，Ｙの各ドットが重なる減法混色の比率が１０％、Ｃ，Ｍ，Ｙの各ドットが並置される併置混色の比率が９０％にされる。このように、フォントサイズ４３５が大きい場合には、併置混色の比率が増大されて文字色の再現性が向上される。この場合、本来あるべき文字の辺の輪郭１００から、はみ出して配置されるドットが増大するものの、フォントサイズが大きいので、輪郭１００からはみ出すドットによる視認性の劣化の影響が低減される。
【００４４】
一方、フォントサイズ４３５が小さくなり、例えば「６」の場合には、ドットの面積の合計に対するドットが重なる面積比Ｓが、図６に示す混色テーブル４３３に応じて５０％にされており、例えば図４に示すように、Ｃ，Ｍ，Ｙの各ドットが重なる減法混色の比率が５０％、Ｃ，Ｍ，Ｙの各ドットが並置される併置混色の比率が５０％となっている。このように、フォントサイズ４３５が小さくなると、減法混色の比率が増大され、ドットの散らばりが減少することで、本来あるべき文字の辺の輪郭１００からはみ出して配置されるドットが減少し、微細な文字がつぶれてしまったり、輪郭１００からはみ出したドットによって色がちらついたりするために、視認性が低下するおそれが低減される結果、フォントサイズの小さい色文字の視認性を向上させることができる。
【００４５】
なお、縮小拡大印刷や、１枚の用紙に２ページ分の画像を形成する２ｉｎ１の設定がされていた場合には、フォントサイズ４３５にその画像の倍率を乗じて得られるフォントサイズに基づいて、ステップＳ１２の処理を行うようにしてもよい。例えば、処理対象の文字情報４３２において、フォントサイズ４３５が「７」で２ｉｎ１の設定がされている場合、画像倍率は７０％であるから、７×０．７＝５となる。そうすると、画像形成制御部４１は、ステップＳ１２において、混色テーブル４３３においてフォントサイズ「５」と対応付けられた面積比Ｓ「６０％」を取得するようにしてもよい。これにより、縮小印刷や２ｉｎ１の設定がされている場合に、文字が縮小されることにより視認性が低下するおそれが低減される。
【図面の簡単な説明】
【００４６】
【図１】本発明の第１の実施形態に係る画像形成方法を用いた画像形成装置の一例であるプリンタの構成の一例を示すブロック図である。
【図２】図１に示すプリンタの動作の一例を示すフローチャートである。
【図３】図１に示す画像形成部による画像形成動作を説明するための説明図である。
【図４】図１に示す画像形成部による画像形成動作を説明するための説明図である。
【図５】本発明の第２の実施形態に係る画像形成方法を用いた画像形成装置の一例であるプリンタの構成の一例を示すブロック図である。
【図６】図１に示す混色テーブルの一例を示す説明図である。
【図７】図５に示すプリンタの動作の一例を示すフローチャートである。
【図８】背景技術を説明するための説明図である。
【符号の説明】
【００４７】
１，１ａ  プリンタ
２  ネットワーク
３  パーソナルコンピュータ
４  制御部
５  画像形成部
６  ディスプレイ
７  操作部
８  通信Ｉ／Ｆ部
４１，４１ａ  画像形成制御部
４３  記憶部
４３１，４３１ａ  画像形成制御プログラム
４３２  文字情報
４３３  混色テーブル
４３４  文字コード
４３５  フォントサイズ
４３６  色情報
Ｓ１  面積比
Ｓ２  設定比率
Ｚｓ  基準フォントサイズ
【図１】
2008213367.tif 000003
【図２】
2008213367.tif 000004
【図３】
2008213367.tif 000005
【図４】
2008213367.tif 000006
【図５】
2008213367.tif 000007
【図６】
2008213367.tif 000008
【図７】
2008213367.tif 000009
【図８】
2008213367.tif 000010